(57)【特許請求の範囲】
【請求項１】
乗り物用シートに用いられ、ケーブルに接続する可撓性を有するストラップであって、
前記ケーブルの端部であるケーブルエンドが通されるスリットを有し、
該スリットの幅は、前記ケーブルエンドの一方向の幅よりも狭く、
前記ストラップは、前記スリットの幅方向と前記ケーブルエンドの前記一方向とが一致する向きで前記ケーブルエンドが前記スリットに通された状態で、前記ケーブルエンドを包むように折り返されており、前記ストラップにおける折り返し先の端末と該端末に対向する部位とが接合されて接合ラインを形成しており、
該接合ラインが、前記スリットに交差するように形成されていることを特徴とするストラップ。
【請求項２】
前記端末と前記端末に対向する部位とは、前記ストラップにおける折り返し部との間で前記ケーブルエンドを挟み込むように、前記ケーブルエンドの近傍で前記スリットを横断して接合されていることを特徴とする請求項１に記載のストラップ。
【請求項３】
前記端末に対向する部位における前記スリットに交差する位置以外の位置も前記端末と接合されていることを特徴とする請求項１又は２に記載のストラップ。
【請求項４】
前記端末と前記端末に対向する部位とは、前記スリットに直交する２辺を有するＺ字状に縫製されることで接合されていることを特徴とする請求項１乃至３のいずれか一項に記載のストラップ。
【請求項５】
前記端末と前記端末に対向する部位とは、前記スリットに直交する２辺を有するリボン状に縫製されることで接合されていることを特徴とする請求項１乃至３のいずれか一項に記載のストラップ。
【請求項６】
前記スリットはヒートカット加工によって形成されていることを特徴とする請求項１乃至５のいずれか一項に記載のストラップ。
【発明の詳細な説明】
【技術分野】
【０００１】
本発明は、ストラップに係り、特に、乗り物用シートに用いられてケーブルエンドとの取付作業が容易となるストラップに関する。
【背景技術】
【０００２】
乗り物用シートは、リクライニング装置及びスライドレールを備えたものが一般的にある。このような乗り物用シートにおいては、所定の角度でリクライニングが固定され、所定のスライド位置で固定されており、これらの固定解除の操作は、それぞれの解除レバーに接続されるケーブルをストラップで引くようにしてなされる。
【０００３】
このようなストラップを引く操作を同時に確実に行うために、ストッパプレートをストラップ内にはめ込む技術が開示されている（特許文献１）。詳細には、まず、それぞれの解除レバーに接続された２本のケーブルの端部をストラップのスリット（特許文献１にはスロットと記載。）に通す。その後、ケーブルの端部を、ストッパプレートのスリットに通して取り付けた後に、ストッパプレートをストラップ内にはめ込んで、ストッパプレートのスリットの一部をストラップ等によって塞ぐというものである。このような構成により、ケーブルとストラップとの接続を確実にするという技術である。
【先行技術文献】
【特許文献】
【０００４】
【特許文献１】特開平１０−３２３２５２号公報
【発明の概要】
【発明が解決しようとする課題】
【０００５】
しかしながら、特許文献１に記載された発明によると、ストッパプレートの分だけ重量が増えてしまい、また、ケーブルの端部をストッパプレートに取り付け、更にストッパプレートをストラップに取り付けなければならず、手間がかかっていた。
本発明は上記問題に鑑みてなされたものであり、重量の増加を防止し、ケーブルとストラップとの接続の作業が容易となるストラップを提供することにある。
【課題を解決するための手段】
【０００６】
前記課題は、本発明に係るストラップによれば、乗り物用シートに用いられ、ケーブルに接続する可撓性を有するストラップであって、前記ケーブルの端部であるケーブルエンドが通されるスリットを有し、該スリットの幅は、前記ケーブルエンドの一方向の幅よりも狭く、前記ストラップは、前記スリットの幅方向と前記ケーブルエンドの前記一方向とが一致する向きで前記ケーブルエンドが前記スリットに通された状態で、前記ケーブルエンドを包むように折り返されており、前記ストラップにおける折り返し先の端末と該端末に対向する部位とが接合されて接合ラインを形成しており、該接合ラインが、前記スリットに交差するように形成されていることにより解決される。
【０００７】
上記構成によれば、接合ラインがスリットに交差するように、折り返し先の端末と端末に対向する部位とを接合して、スリットの拡がりを抑制することにより、スリットからケーブルエンドが外れることを防止することができる。そして、ストラップとケーブルの他に両者を接続するための別部材が無いため軽量化することができる。
【０００８】
特に、前記端末と前記端末に対向する部位とは、前記ストラップにおける折り返し部との間で前記ケーブルエンドを挟み込むように、前記ケーブルエンドの近傍で前記スリットを横断して接合されていると好ましい。
上記構成によれば、端末と端末に対向する部位とがスリットにおけるケーブルエンド近傍でスリットに直交するように接合されており、その接合部とストラップにおける折り返し部との間でケーブルエンドを挟み込んでいるため、ケーブルエンドの動きを抑制してケーブルとストラップの接続を強固にすることができる。
【０００９】
更に、前記端末に対向する部位における前記スリットに交差する位置以外の位置も前記端末と接合されていると好ましい。
上記構成によれば、接合箇所を増やすことで、ストラップにおける折り返し先の端末とその端末に対向する部位との接合をより強固にすることができる。
【００１０】
更に、前記端末と前記端末に対向する部位とは、前記スリットに直交する２辺を有するＺ字状に縫製されることで接合されていると好ましい。
上記構成によれば、Ｚ字状に連続的に縫製されていることで、一度の縫製によって容易に接合することが可能となる。
【００１１】
また、前記端末と前記端末に対向する部位とは、前記スリットに直交する２辺を有するリボン状に縫製されることで接合されていてもよい。
上記構成によれば、リボン状に連続的に縫製されていることで、一度の縫製によって容易に接合することが可能となる。
【００１２】
更に、前記スリットはヒートカット加工によって形成されていると好ましい。
上記構成によれば、ケーブルエンドとスリットの周縁との接触によってほつれが生じることを防止することができる。
【発明の効果】
【００１３】
本発明によれば、スリットからケーブルエンドが外れることを防止することができ、軽量化することができる。
また、本発明によれば、ケーブルエンドの動きを抑制してケーブルとストラップの接続を強固にすることができる。
また、本発明によれば、ストラップにおける折り返し先の端末とこの端末に対向する部位との接合をより強固にすることができる。
また、本発明によれば、強固な接合が容易に実現される。
また、本発明によれば、ケーブルエンドとスリットの周縁との接触によってほつれが生じることを防止することができる。
【図面の簡単な説明】
【００１４】
【図１】ケーブルを示す模式的な正面図である。
【図２】スリットを有するストラップを示す模式的な正面図である。
【図３】スリットにケーブルエンドを通した状態を示す模式的な正面図である。
【図４Ａ】ケーブルエンドを包み込むようにストラップを折り曲げた状態を示す模式的な正面図である。
【図４Ｂ】ケーブルエンドを包み込むようにストラップを折り曲げた状態を示す模式的な側面図である。
【図５】縫製によりケーブルに接続されたストラップの状態を示す模式的な正面図である。
【図６】リボン状の縫製ラインで縫製したストラップを示す模式的な正面図である。
【図７】２本のケーブルと、縫製より２本のケーブルに接続された１本のストラップとを示す模式的な正面図である。
【図８】ストラップを構成する本ストラップ部及び分岐ストラップ部のそれぞれを縫製することにより２本のケーブル２ａ，２ｂに接続する例を示す模式的な正面図である。
【発明を実施するための形態】
【００１５】
本願発明の実施形態に係るストラップについて、図面を参照して説明する。
まず、乗り物用シートの着座者によって操作される可撓性を有する紐状のストラップ１、及びストラップ１を接続する対象であるケーブル２について図１及び図２を参照して説明する。ここで、図１は、ケーブル２を示す模式的な正面図、図２は、スリット１ａを有するストラップ１を示す模式的な正面図である。
【００１６】
ケーブル２は、図示せぬ乗り物用シートを構成する図示せぬリクライニング装置等に接続されるものであり、ケーブル２が引かれることによってリクライニング装置のロックが解除されるように構成されている。
具体的構成としては、ケーブル２は、図１に示すように、インナーケーブル２０とインナーケーブル２０を覆うアウターケーブル２１とからなる。このインナーケーブル２０がアウターケーブル２１から突き出る向きに引かれることで、図示せぬリクライニング装置のロックが解除されることとなる。
インナーケーブル２０の先端には、インナーケーブル２０の連続方向に垂直に延在する円柱状のケーブルエンド２０ａが形成されている。なお、この延在方向を以下において円柱軸方向ともいう。そして、ケーブルエンド２０ａは、円柱軸方向において長手となるように形成されている。このケーブルエンド２０ａに次に説明するストラップ１が接続されることとなる。
【００１７】
ストラップ１は、合成繊維材料から成るもので非金属製であり、１本のケーブル２に接続されていることで、ケーブル２に接続された図示せぬリクライニング装置のロックを、ケーブル２を介して解除する機能を有する。つまり、ストラップ１は、ケーブル２に連結されることで、着座者の操作に好適な配置される操作部としての機能を有する。
【００１８】
ストラップ１には、幅方向中央において、ストラップ１の延在方向に沿う向きにスリット１ａが形成されている。
スリット１ａは、ケーブル２のケーブルエンド２０ａをストラップ１の裏面から表面へと通すためのものであり、ケーブルエンド２０ａとの接触によってほつれが生じないように、ヒートカット加工により形成されている。
スリット１ａにケーブルエンド２０ａが通されて、後述のように縫製されることで、ケーブル２とストラップ１とが接続されることとなる。
【００１９】
次に、ストラップ１の縫製方法について図３〜図５を参照して説明する。ここで、図３は、スリット１ａにケーブルエンド２０ａを通した状態を示す模式的な正面図、図４Ａは、ケーブルエンド２０ａを包み込むようにストラップ１を折り曲げた状態を示す模式的な正面図、図４Ｂは、ケーブルエンド２０ａを包み込むように折り曲げた状態を示す模式的な側面図、図５は、縫製によりケーブル２に接続されたストラップ１の状態を示す模式的な正面図である。
【００２０】
（通し工程）
まず、図３に示すように、スリット１ａにケーブルエンド２０ａを通す。ここで、上記のように円柱状を成したケーブルエンド２０ａを面積の小さい端部側からスリット１ａに通すために、ケーブルエンド２０ａの端部を円柱軸方向にスリット１ａに挿入して、図３中、ストラップ１の裏面から表面へとケーブル２を通すようにする。
【００２１】
（折り返し工程）
次に、図４Ａ及び図４Ｂに示すように、ケーブルエンド２０ａの円柱軸方向がスリット１ａの幅方向に一致するようにケーブルエンド２０ａの向きを変えた後、ストラップ３の端末１ｂを、ケーブルエンド２０ａを包み込むように折り返し部１ｄで折り返す。このようにケーブルエンド２０ａの向きを挿入時と折り返し時とで向きを変え、折り返し時にスリット１ａからケーブルエンド２０ａの幅Ｗを大きくはみ出させるようにし、この状態で後の工程で縫製することにより、ケーブルエンド２０ａがスリット１ａから抜け落ちることを防止できる。
【００２２】
（接合工程）
次に、図５に示すように、折り返し先の端末１ｂと端末１ｂに対向する対向部位１ｃとをＺ字状の縫製ラインＬ１を形成するように縫製によって接合する。ここで、縫製ラインＬ１、及び後述する縫製ラインＬ２，Ｌ３とは、本願発明に係る接合ラインに相当する。このとき、Ｚ字状の縫製ラインＬ１を形成する平行な２辺のうちの１辺がスリット１ａを垂直に（直交して）横断（交差）するようにする。
【００２３】
このように、スリット１ａを横断するように縫製することで、スリット１ａの拡がりを抑制するようにでき、ケーブルエンド２０ａがスリット１ａから抜け落ちることを防止できる。更に、縫製ラインＬ１が、スリット１ａを横断する部位以外にも形成されていることで、縫合箇所を多くなり、ストラップ１における折り返し先の端末１ｂと対向部位１ｃとの接合をより強固にすることができる。
特に、ケーブルエンド２０ａの折り返し部１ｄと縫製ラインＬ１とによって画定されるケーブルエンド２０ａに接する内面が、ケーブルエンド２０ａの周面に沿わせるように縫製ラインＬ１を形成すると好ましい。このようにすれば、ケーブルエンド２０ａを折り返し部１ｄと縫製ラインＬ１とによって挟み込むようにできるためケーブルエンド２０ａの揺動を制限することができ、スリット１ａからのケーブルエンド２０ａの抜け落ちをより防止できるためである。
【００２４】
（第１の変形例）
上記実施形態において、ストラップ１における折り返し先の端末１ｂと対向部位１ｃとの縫製ラインＬ１がＺ字状である例について説明したが、本発明はこのような構成に限定されない。
例えば、図６に示された第１の変形例に係る縫製ラインＬ２のように、リボン状に縫製されたものであってもよい。ここでリボン状とは、少なくとも１辺がスリット１ａを横断するように延びる２辺の平行な線と、この２辺の線の逆側端部同士を斜めに接続する線とから形成される形状をいう。
このような縫製ラインＬ２によれば、縫製ラインＬ１よりも縫製箇所が多く、且つ、対称性を有する形状であるため縫製をより強固にすることができる。
【００２５】
（第２の変形例）
上記実施形態に係るストラップ１は、１本のケーブル２に１本だけ接続するものとして説明したが、本発明はこのような構成に限定されない。次に、図７を参照して、２本のケーブル２ａ，２ｂに接続される第２の変形例に係る１本のストラップ１０について説明する。
【００２６】
ストラップ１０は、２本のケーブル２ａ，２ｂに接続されていることで、２本のケーブル２ａ，２ｂにそれぞれ接続された図示せぬリクライニング装置とシートスライド装置のロックを同時に解除する機能を有する。
【００２７】
ストラップ１０には、幅方向中央において、延在方向に沿う向きに２本のスリット１０ａ，１０ｂが形成されている。
２本のスリット１０ａ，１０ｂは、２本のケーブル２ａ，２ｂのケーブルエンド２０ａ，２０ｂを通すためのものであり、スリット１０ａにケーブルエンド２０ａ、スリット１０ｂにケーブルエンド２０ｂが通されて、後述のように縫製されることで、ケーブル２ａ，２ｂとストラップ１０とが接続されることとなる。
【００２８】
ストラップ１０は、図７に示すように、縫製ラインＬ３を形成するように縫製されている。具体的には、縫製ラインＬ３は、Ｚ字状に形成されており、２本のケーブル２ａ，２ｂのそれぞれのケーブルエンド２０ａ，２０ｂが挿入された部分のスリット１０ａ，１０ｂを、少なくとも一部がまとめて横断するように形成されている。このようにスリット１０ａ，１０ｂをまとめて横断するように縫製ラインＬ３が形成されていることで、縫製の手間が低減されている。
【００２９】
一方、ストラップ１０の縫製方法については、ストラップ１の縫製方法と同様に、各ケーブル２ａ，２ｂごとに、各スリット１０ａ，１０ｂを横断するようにＺ字状に縫製するようにしてもよい。このように、各スリット１０ａ，１０ｂごとに縫製するようにすることで、縫製部分を密集させることができるため、ケーブルエンド２０ａ，２０ｂをより確実に保持することができる。
【００３０】
（第３の変形例）
最後に、第３の変形例に係るストラップ３について、図８を参照して説明する。ここで、図８は、ストラップ３を構成する本ストラップ部３０及び分岐ストラップ部３１のそれぞれを縫製することにより２本のケーブル２ａ，２ｂに接続する例を示す模式的な正面図である。
【００３１】
第３の変形例に係るストラップ３は、本ストラップ部３０と本ストラップ部３０に縫合部３ａによって分岐して取り付けられた分岐ストラップ部３１とを備える。本ストラップ部３０は、ケーブル２ａに接続されており、分岐ストラップ部３１は、ケーブル２ｂに接続されている。
このように、本ストラップ部３０と、分岐した分岐ストラップ部３１とが相互に離間可能に形成されていることで、本ストラップ部３０又は分岐ストラップ部３１とケーブル２ａ，２ｂとのそれぞれを接続できる範囲が広くなる。
【００３２】
また、このような構成によれば、ケーブル２ａ，２ｂのケーブルエンド２０ａ，２０ｂが離れた位置にあったとしても、長さの調節が困難なケーブル２ａ，２ｂの長さを変更せずに、長さの調節が容易な本ストラップ部３０又は分岐ストラップ部３１の長さを調整することで好適に接続することができる。
特に、乗り物用シートにおいては、図示せぬリクライニング装置及びスライドレールそれぞれのロック装置に接続されたケーブル２ａ，２ｂのケーブルエンド２０ａ，２０ｂの位置が異なる場合が多いため、長さの調節が容易なストラップ３が好適である。
【００３３】
上記の実施形態は、本願発明の理解を容易にするための一例に過ぎず、本願発明を限定するものではない。本願発明は、その趣旨を逸脱することなく、変更、改良され得るとともに、本願発明にはその等価物が含まれることは勿論である。
【００３４】
例えば上記実施形態においては、ストラップの折り返し部分の端末を縫製によって接合してスリットの開口部を制限してケーブルエンドがスリットから抜け落ちることを制限する作用を有するものとして説明した。しかし、本願発明は、縫製による接合に限られず、縫製の代わりに超音波溶着等によってストラップの折り返し部分の端末を接合するようにしてもよい。このようにすれば、縫製よりも短時間でストラップの折り返し部分の端末を接合することができる。
【符号の説明】
【００３５】
１，１０，１１  ストラップ
１ａ，１０ａ，１０ｂ  スリット
１ｂ  端末
１ｃ  対向部位
１ｄ  折り返し部
２，２ａ，２ｂ  ケーブル
２０  インナーケーブル
２０ａ，２０ｂ  ケーブルエンド
２１  アウターケーブル
３  ストラップ
３ａ  縫合部
３０  本ストラップ部
３１  分岐ストラップ部
Ｗ  幅
Ｌ１，Ｌ２，Ｌ３  縫製ライン（接合ライン）
【図１】
0006301227.tif 000002
【図２】
0006301227.tif 000003
【図３】
0006301227.tif 000004
【図４Ａ】
0006301227.tif 000005
【図４Ｂ】
0006301227.tif 000006
【図５】
0006301227.tif 000007
【図６】
0006301227.tif 000008
【図７】
0006301227.tif 000009
【図８】
0006301227.tif 000010